(57)【要約】【課題】プロジェクターにおいて、特別な操作キーを追加することなく、投写中の画像データを保存し、呼び出して投写する画像メモ機能を実現する。【解決手段】入力切替キー２３ｂ（２５ｂ）の操作により画像入力端子６を切り替えたとき、複数の画像入力端子６に入力される画像データから記憶手段２１にメモ画像２１１として保存する画像データを選択し、投写データ設定手段２０１は選択中の画像入力端子６に対応する投写データ設定をメモ画像に設定する。これにより、画像入力端子６を切り替えることで、記憶手段２１に画像データを保存し、保存した画像データを投写することが可能となる。【選択図】図４
2013080105.tif 000002
【特許請求の範囲】
【請求項１】
画像信号が入力される複数の画像入力端子と、
前記複数の画像入力端子の切替操作を含む入力操作を受け付ける入力操作手段と、
前記切替操作に基づき、前記複数の画像入力端子の中からいずれか一つを選択する画像入力選択手段と、
前記画像入力選択手段が選択した一の画像入力端子に入力されている画像信号に基づいた画像データを生成し、出力する画像信号処理手段と、
光源から射出された光を前記画像データに応じ、変調して投写する画像投写手段と、
を有するプロジェクターであって、
前記画像データをメモ画像として保存する記憶手段と、
前記画像入力選択手段によって選択された前記一の画像入力端子ごとに、前記画像データと、前記メモ画像のうち、いずれを投写するかを設定する、投写データ設定手段と
前記投写データ設定手段の設定に基づき、前記メモ画像を前記画像投写手段により投写する画像メモ手段と、
を備えたことを特徴とする、プロジェクター。
【請求項２】
請求項１に記載のプロジェクターであって、
前記画像メモ手段は、前記切替操作を受け付けた時に、前記複数の画像入力端子のいずれかに入力される画像信号に基づいた画像データを前記メモ画像として前記記憶手段に保存する、
ことを特徴とする、プロジェクター。
【請求項３】
請求項１または２に記載のプロジェクターであって、
前記複数の画像入力端子に画像信号が入力されているか否かを検出する信号検出手段をさらに備え、
前記画像メモ手段は、前記切替操作を受け付けた時に、選択された前記一の画像入力端子が画像信号未検出状態と判断された場合に、前記複数の画像入力端子のいずれかに入力される画像信号に基づいた画像データを前記メモ画像として、前記記憶手段に保存する、
ことを特徴とする、プロジェクター。
【請求項４】
請求項３に記載のプロジェクターにおいて、
前記投写データ設定手段は、前記信号検出手段により、選択された前記一の画像入力端子が信号未入力状態と判断された場合に、前記記憶手段に保存された前記メモ画像を投写するよう設定する、
ことを特徴とする、プロジェクター。
【請求項５】
請求項４に記載のプロジェクターであって、
前記投写データ設定手段は、選択された前記一の画像入力端子に画像信号が検出された場合に、当該一の画像入力端子に入力される画像データを投写するよう設定する、ことを特徴とする、プロジェクター。
【請求項６】
画像信号が入力される複数の画像入力端子と、
前記複数の画像入力端子の切替操作を受け付ける入力操作手段と、
前記切替操作に基づき、前記複数の画像入力端子の中からいずれか一つを選択する画像入力選択ステップと、
前記画像入力選択ステップにより選択された一の画像入力端子に入力されている画像信号に基づいた画像データを生成し、出力する画像信号処理手段と、
光源から射出された光を前記画像データに応じ、変調して投写する画像投写手段と、
前記画像データをメモ画像として記憶手段に保存する画像保存ステップと、
を有するプロジェクターの制御方法であって、
前記画像入力選択ステップによって選択された前記一の画像入力端子ごとに、当該一の画像入力端子に入力される画像データと、前記記憶手段に保存された前記メモ画像のうち、いずれを投写するかを設定する、投写データ設定ステップと、
を有することを特徴とする、プロジェクターの制御方法。
【発明の詳細な説明】
【技術分野】
【０００１】
本発明は、プロジェクター、およびプロジェクターの制御方法に関する。
【背景技術】
【０００２】
従来、プロジェクターにおいて投写中の画像を保存し、所定の操作で読み出し、投写するものが知られている（例えば、特許文献１参照）。
【０００３】
特許文献１に記載のプロジェクター（映像表示装置）によれば、メモ記憶キーを押下することにより出力映像に対応した画像データを記憶部に格納し、メモ表示キーを押下することにより記憶部に記憶された画像データを読み出して画面表示する。これにより、所望のタイミングで記憶している画像を表示させることができる。
【先行技術文献】
【特許文献】
【０００４】
【特許文献１】特開２００８−１０２２４４号公報
【発明の概要】
【発明が解決しようとする課題】
【０００５】
しかしながら、上記従来技術によれば、あらかじめ専用の操作キーを配置しておく必要がある。しかし、一般にプロジェクターの本体操作パネルには入力切替、メニュー操作等の最小限の操作キーしか備えられていないため、専用の操作キーを配置すると装置が大型化してしまうおそれがあった。そこで、リモートコントローラー（リモコン）に専用の操作キーを配置する方法も考えられるが、やはり、専用の操作キーを追加することによりリモコンが大型化してしまい、なお且つユーザーにとっては、キー操作が煩雑になるという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像信号が入力される複数の画像入力端子と、前記複数の画像入力端子の切替操作を含む入力操作を受け付ける入力操作手段と、前記切替操作に基づき、前記複数の画像入力端子の中からいずれか一つを選択する画像入力選択手段と、前記画像入力選択手段が選択した一の画像入力端子に入力されている画像信号に基づいた画像データを生成し、出力する画像信号処理手段と、光源から射出された光を前記画像データに応じ、変調して投写する画像投写手段と、を有するプロジェクターであって、前記画像データをメモ画像として保存する記憶手段と、前記画像入力選択手段によって選択された前記一の画像入力端子ごとに、前記画像データと、前記メモ画像のうち、いずれを投写するかを設定する、投写データ設定手段と、前記投写データ設定手段の設定に基づき、前記メモ画像を前記画像投写手段により投写する、画像メモ手段と、を備えたことを特徴とする。
【０００８】
本適用例によれば、複数の画像入力端子ごとに、記憶手段に保存されたメモ画像を投写するか、入力され生成された画像データを投写するかの設定を行い、メモ画像を投写する設定がされている場合、選択された画像入力端子に対応するメモ画像を投写する。つまり、入力切替操作により、各画像入力端子に設定されたメモ画像の投写切替を行うことができるので、本体操作パネルに専用の操作キーを追加することなく、画像メモ機能を実現することが可能となる。
【０００９】
［適用例２］上記適用例に記載のプロジェクターにおいて、前記画像メモ手段は、前記切替操作を受け付けた時に、前記複数の画像入力端子のいずれかに入力される画像信号に基づいた前記画像データを前記メモ画像として前記記憶手段に保存する、ことを特徴とする。
【００１０】
本適用例によれば、画像入力端子を切り替えたときに、複数の画像入力端子のいずれかに入力される画像データをメモ画像として記憶手段に保存することができるので、同一の画像入力端子に入力される異なる入力画像データ、または異なる複数の画像入力端子に入力される複数の入力画像データを、メモ画像として画像入力端子を切り替えたときに記憶手段に保存し、投写することが可能となる。
【００１１】
［適用例３］上記適用例に記載のプロジェクターにおいて、前記複数の画像入力端子に画像信号が入力されているか否かを検出する信号検出手段をさらに備え、前記画像メモ手段は、前記切替操作を受け付けた時に、選択された前記一の画像入力端子が画像信号未検出状態と判断された場合に、前記複数の画像入力端子のいずれかに入力される画像信号に基づいた画像データを前記メモ画像として、前記記憶手段に保存する、ことを特徴とする。
【００１２】
本適用例によれば、画像入力端子を切り替えたときに、選択した画像入力端子に画像信号が入力されていない場合に、他の画像入力端子のいずれかに入力される画像データをメモ画像として、記憶手段に保存することができるので、画像信号が入力されていない、未使用の画像入力端子をメモ画像保存用として使用することが可能となる。
【００１３】
［適用例４］上記適用例に記載のプロジェクターにおいて、前記投写データ設定手段は、前記信号検出手段により、選択された前記一の画像入力端子が信号未入力状態と判断された場合に、前記記憶手段に保存された前記メモ画像のうち、いずれを投写するかを設定する、ことを特徴とする。
【００１４】
本適用例によれば、画像入力端子を切り替えたときに、選択した画像入力端子に画像信号が入力されていない場合に、記憶手段に保存されたメモ画像を投写する設定を行うことができるので、画像信号が入力されない、未使用の画像入力端子をメモ画像投写用として使用することが可能となる。
【００１５】
［適用例５］上記適用例に記載のプロジェクターにおいて、前記投写データ設定手段は、選択された前記一の画像入力端子に画像信号が検出された場合に、当該一の画像入力端子に入力される画像データを投写するよう設定する、ことを特徴とする。
【００１６】
本適用例によれば、画像信号が入力されていない画像入力端子をメモ画像投写用として使っていた場合、画像信号を入力することで、画像入力端子の入力画像データを投写するよう設定を変更するので、特別な設定操作をせずに、画像信号を入力するだけでメモ画像投写設定から、入力画像データ投写設定に変更することが可能となる。
【００１７】
［適用例６］本適用例に係るプロジェクターの制御方法は、画像信号が入力される複数の画像入力端子と、前記複数の画像入力端子の切替操作を受け付ける入力操作手段と、前記切替操作に基づき、前記複数の画像入力端子の中からいずれか一つを選択する画像入力選択ステップと、前記画像入力選択ステップにより選択された一の画像入力端子に入力されている画像信号に基づいた画像データを生成し、出力する画像信号処理手段と、光源から射出された光を前記画像データに応じ、変調して投写する画像投写手段と、前記画像データをメモ画像として記憶手段に保存する画像保存ステップと、を有するプロジェクターの制御方法であって、
前記画像入力選択ステップによって選択された前記一の画像入力端子ごとに、当該一の画像入力端子に入力される画像データと、前記記憶手段に保存された前記メモ画像のうち、いずれを投写するかを設定する、投写データ設定ステップと、を有することを特徴とする。
【００１８】
本適用例によれば、画像入力端子ごとに、記憶手段に保存されたメモ画像を投写する設定を行うことができるので、画像入力端子の切替操作により、メモ画像の投写切替を行うことができ、本体操作パネルに専用の操作キーを追加することなく、画像メモ機能を実現することが可能となる。
【図面の簡単な説明】
【００１９】
【図１】プロジェクターの回路構成を示すブロック図。
【図２】投写データ設定手段の設定情報を示す図。
【図３】記憶手段に保存されたメモ画像の画像保存状態を示す図。
【図４】入力切替キー操作、およびメモ画像保存操作時の画面遷移を示す図。
【図５】メモ画像投写中のヘルプキー操作時の画面遷移を示す図。
【図６】プロジェクターが入力切替操作を受け付けた時の動作を示すフローチャート。
【図７】プロジェクターがメモ画像投写中にヘルプ操作を受け付けた時、および画像信号を検出したときの動作を示すフローチャート。
【図８】本体操作パネルキーを示す図。
【図９】リモコンの操作キーを示す図。
【発明を実施するための形態】
【００２０】
以下、添付図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
（第１実施形態）
図１は、本実施形態のプロジェクターの回路構成を示すブロック図である。
図１に示すように、プロジェクター１００は、画像信号処理手段３、ＯＳＤ処理手段４、画像入力選択手段５、画像入力端子６、信号検出手段７、画像投写手段１０、制御手段２０、記憶手段２１、光源制御手段２２、入力操作手段２３、操作信号受信手段２４等で構成されており、これらは図示しない筐体の内部に収容されている。
【００２２】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２４】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。
【００２５】
このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２６】
本実施形態では、光源１１として光源ランプ１１ａを用いて投写するプロジェクター１００を例示したが、本発明は光源としてＬＥＤ（Light Emitting Diode）光源やレーザー光源などを用いて投写するプロジェクターにも適用することができる。また、画像投写手段１０では、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１００の動作を統括制御する。つまり、制御手段２０は、記憶手段２１とともにコンピューターとして機能する。本実施形態において制御手段２０は、投写データ設定手段２０１と、画像メモ手段２０２とを含み構成される。
制御手段２０は、画像信号処理手段３が生成した画像データを、後述する記憶手段２１にメモ画像２１１として保存する。
【００２８】
投写データ設定手段２０１は、選択された画像入力端子６ごとに、画像データ、またはメモ画像２１１のうち、いずれを投写するかを設定する。例えば、画像入力端子６１〜６４に対する投写データ設定手段２０１の設定内容を図２に示す。
図２に示すように、画像入力端子６１〜６４に、図示しない外部の画像供給装置であるビデオ再生装置（Ｖｉｄｅｏ１，Ｖｉｄｅｏ２）やパーソナルコンピューター（ＰＣ１，ＰＣ２）等が接続されており、ＰＣ１，Ｖｉｄｅｏ１が画像データを、ＰＣ２，Ｖｉｄｅｏ２がメモ画像を投写するように設定されている。
【００２９】
画像メモ手段２０２は、投写データ設定手段２０１の設定に基づいて、記憶手段２１に保存されたメモ画像２１１を画像投写手段１０より投写する。
【００３０】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１００の動作を制御するための制御プログラムや、プロジェクター１００の動作条件等を規定する各種設定データ等が記憶されている。
本実施形態において記憶手段２１は複数のメモ画像２１１を保存する。記憶手段２１に保存されたメモ画像２１１の画像保存状態を図３に示す。
図３に示すように、メモ画像２１１は複数の画像入力端子６ごとに、メモ画像２１１が保存される。投写データ設定手段２０１によってメモ画像２１１を投写するように設定された画像入力端子６が選択された場合、対応するメモ画像２１１が投写される。
【００３１】
入力操作手段２３は、プロジェクター１００の本体筐体外面に備えられ、ユーザーからの入力操作を受け付けるものであり、ユーザーがプロジェクター１００に対して各種指示を行うための複数の操作キーを備えている。入力操作手段２３の操作キーを図８に示す。
【００３２】
図８に示すように、入力操作手段２３が備える操作キーとしては、電源のオン・オフを交互に切り替えるための電源キー２３ａや、画像入力選択手段５により複数の画像入力端子６のうち、いずれかの画像入力端子６に切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
ユーザーが入力操作手段２３の各種操作キーを操作すると、入力操作手段２３はユーザーの操作内容に応じた操作信号を制御手段２０に出力する。
【００３３】
操作信号受信手段２４は、遠隔操作で入力操作を行うリモコン２５からの操作信号を受信し、ユーザーの操作内容に応じた、操作内容を制御手段２０に出力する。リモコン（ＲＣ）２５の操作キーを図９に示す。
図９に示すように、リモコン２５が備える操作キーとしては、入力操作手段２３と同等な電源キー２５ａ、入力切替キー２５ｂ、メニューキー２５ｃ、カーソルキー２５ｄ、決定キー２５ｅ、エスケープキー２５ｆ、ヘルプキー２５ｇの操作キーに加え、画面ミュートキー２５ｈ、画面縦横比切替キー２５ｉ、カラーモード切替キー２５ｊ、番号入力キー２５ｋ等がある。
【００３４】
複数の画像入力端子６には、ビデオ再生装置（Ｖｉｄｅｏ１，Ｖｉｄｅｏ２）やパーソナルコンピューター（ＰＣ１，ＰＣ２）等、図示しない外部の画像供給装置から、各種形式の画像信号が入力され、入力された画像信号は、画像入力選択手段５に供給される。
【００３５】
画像入力選択手段５は、複数の画像入力端子６のうち、制御手段２０の指示に基づく一の画像入力端子６を選択し、一の画像入力端子６に入力される画像信号を、信号検出手段７、および画像信号処理手段３に出力する。
ユーザーが、入力操作手段２３に備わる入力切替キー２３ｂを操作して所望の一の画像入力端子６を指定すると、制御手段２０は、一の画像入力端子６に入力される画像信号が信号検出手段７および画像信号処理手段３に出力されるよう、画像入力選択手段５に指示をする。
【００３６】
信号検出手段７は、画像入力選択手段５から入力される画像信号の有無を検出し、画像入力選択手段５が選択した画像入力端子６に画像信号が入力されているか否かを検出し、その検出結果を制御手段２０に通知する。
【００３７】
画像信号処理手段３は、画像入力選択手段５から入力される画像信号を、液晶ライトバルブ１２Ｒ、１２Ｇ、１２Ｂの各画素の階調を表す画像データに変換する。ここで、変換された画像データは、Ｒ，Ｇ，Ｂの色光別になっており、各液晶ライトバルブ１２Ｒ、１２Ｇ、１２Ｂのすべての画素に対応する複数の画素値によって構成されている。
画素値とは、対応する画素の光透過率を定めるものであり、この画素値によって、各画素を透過し射出する光の強弱（階調）が規定される。また、画像信号処理手段３は、制御手段２０の指示に基づき、変換した画像データに対して、明るさ、コントラスト、シャープネス、色合い等を調整するための画質調整処理等を行い、処理後の画像データをＯＳＤ処理手段４に出力する。
【００３８】
ＯＳＤ処理手段４は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段４は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段４は、必要なＯＳＤ画像情報をＯＳＤメモリーから読み出し、投写画像上の所定の位置にＯＳＤ画像が重畳されるように、画像信号処理手段３から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段４は、画像信号処理手段３から入力される画像情報を、そのまま液晶駆動手段１４に出力する。
【００３９】
液晶駆動手段１４は、ＯＳＤ処理手段４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４０】
光源制御手段２２は、制御手段２０の指示に基づいて、光源１１に対する電力の供給と停止とを制御し、光源１１の点灯及び消灯を切り替える。
【００４１】
次に、本実施形態のプロジェクターの画面遷移を図４、および図５を用いて説明する。
図４は、入力切替キー操作、およびメモ画像保存操作時の画面遷移を示す図である。図４の例では４つの画像入力端子６１〜６４（ＰＣ１，ＰＣ２，Ｖｉｄｅｏ１，Ｖｉｄｅｏ２）のうち２つの画像入力端子６１，６３（ＰＣ１，Ｖｉｄｅｏ１）に画像信号が入力されているものとする。
また、本実施形態では、入力切替キー２３ｂ（２５ｂ）の操作により、予め定められた順番で画像入力端子６が切り替えられるものとする。
【００４２】
図４（ａ）は、プロジェクター１００が起動直後に、画像入力端子６にＰＣ１（画像入力端子６１）からの入力が選択されているときの画像投写状態を示すものである。初期状態では、投写データ設定手段２０１において全ての画像入力端子６が画像データを投写するよう設定されているため、ＰＣ１（画像入力端子６１）からの画像データが投写されている。
この状態で入力切替キー２３ｂ（２５ｂ）を操作すると、画像入力端子６がＰＣ１（画像入力端子６１）からＰＣ２（画像入力端子６２）の入力に切り替わり、図４（ｂ）に遷移する。
【００４３】
図４（ｂ）において、投写データ設定手段２０１で画像入力端子６２（ＰＣ２）は、初期状態である画像データを投写する設定になっているが、画像入力端子６２にはＰＣ２からの画像信号が入力されていないため、他の画像入力端子６のうち、画像データをメモ画像２１１として保存するための、画像信号が入力されているＰＣ１（画像入力端子６１）またはＶｉｄｅｏ１（画像入力端子６３）を選択する画面が投写される。
カーソルキー２３ｄ（２５ｄ）および決定キー２３ｅ（２５ｅ）により、ＰＣ１を選択すると、画像入力端子６１（ＰＣ１）に入力される画像データが、記憶手段２１にＰＣ２のメモ画像２１１として保存され、投写データ設定手段２０１により、画像入力端子６２（ＰＣ２）を選択した場合はメモ画像２１１を投写するよう設定される。次に図４（ｃ）に遷移する。
【００４４】
図４（ｃ）において、投写データ設定手段２０１により画像入力端子６２（ＰＣ２）がメモ画像２１１の投写に設定されているため、メモ画像２１１（ＰＣ１の画像データ）を投写している状態を示す。また、画面上部にはメモ画像であることを示すメッセージが投写される。
次に入力切替キー２３ｂ（２５ｂ）を操作すると、画像入力端子６がＰＣ２（画像入力端子６２）からＶｉｄｅｏ１（画像入力端子６３）の入力に切り替わり、図４（ｄ）に遷移する。
【００４５】
図４（ｄ）において、投写データ設定手段２０１では画像入力端子６３（Ｖｉｄｅｏ１）は画像データを投写する設定になっているため、Ｖｉｄｅｏ１からの画像データを投写している状態を示す。次に入力切替キー２３ｂ（２５ｂ）を操作すると、画像入力端子６がＶｉｄｅｏ１（画像入力端子６３）からＶｉｄｅｏ２（画像入力端子６４）の入力に切り替わり、図４（ｅ）に遷移する。
【００４６】
図４（ｅ）において、投写データ設定手段２０１で画像入力端子６４（Ｖｉｄｅｏ２）は、初期状態である画像データを投写する設定になっているが、画像入力端子６４にはＶｉｄｅｏ２からの画像信号が入力されていないため、他の画像入力端子６のうち、画像データをメモ画像２１１として保存するための、画像信号が入力されているＰＣ１（画像入力端子６１）またはＶｉｄｅｏ１（画像入力端子６３）を選択する画面が投写される。
ここで、メモ画像２１１に画像データを保存することを希望せず、入力切替キー２３ｂ（２５ｂ）を操作すると、画像入力端子６がＶｉｄｅｏ２（画像入力端子６４）からＰＣ１（画像入力端子６１）の入力に切り替わり、図４（ｆ）に遷移する。
【００４７】
図４（ｆ）において、投写データ設定手段２０１で画像入力端子６１（ＰＣ１）は画像データを投写する設定になっているため、ＰＣ１からの画像データが投写される。
次に入力切替キー２３ｂ（２５ｂ）を操作すると、画像入力端子６がＰＣ１（画像入力端子６１）からＰＣ２（画像入力端子６２）の入力に切り替わり、図４（ｇ）に遷移する。
【００４８】
図４（ｇ）において、投写データ設定手段２０１で画像入力端子６２（ＰＣ２）はメモ画像２１１の投写に設定されているため、メモ画像２１１が投写される。
【００４９】
図５は、メモ画像投写中のヘルプキー２３ｇ（２５ｇ）操作時の画面遷移を示す図である。４つの画像入力端子６（ＰＣ１，ＰＣ２，Ｖｉｄｅｏ１，Ｖｉｄｅｏ２）のうち２つの画像入力端子６１，６３（ＰＣ１，Ｖｉｄｅｏ１）に画像信号が入力されており、図４（ａ）から図４（ｆ）で説明したように、投写データ設定手段２０１で画像入力端子６２（ＰＣ２）がメモ画像投写に設定されているものとする。
【００５０】
図５（ａ）は、画像入力端子６にＰＣ２からの入力が選択されており、メモ画像２１１を投写している状態を示す。この状態においてヘルプキー２３ｇ（２５ｇ）を操作すると、図５（ｂ）に遷移する。
【００５１】
図５（ｂ）は画像入力端子６２（ＰＣ２）の、投写データの設定変更を行う操作画面が投写されている状態を示す。カーソルキー２３ｄ（２５ｄ）および決定キー２３ｅ（２５ｅ）で画像データを投写するか、画像信号が入力されている画像入力端子６１，６３（ＰＣ１，Ｖｉｄｅｏ１）の画像データをメモ画像２１１として保存するかを選択する。
画像信号が入力されている画像入力端子６３（Ｖｉｄｅｏ１）を選択すると、図５（ｃ）に遷移する。画像データを投写するよう選択した場合、図５（ｄ）に遷移する。
【００５２】
図５（ｃ）は、画像入力端子６３（Ｖｉｄｅｏ１）からの画像データがメモ画像２１１として保存され、投写している状態を示す。
【００５３】
図５（ｄ）は、画像入力端子６２（ＰＣ２）からの画像データを投写している状態を示す。ＰＣ２からは画像信号が入力されていないため、無信号状態を示す画面が投写される。
【００５４】
次に、本実施形態のプロジェクター１００の動作を図６、および図７のフローチャートを用いて説明する。図５は、メモ画像投写中のヘルプキー操作時の画面遷移を示す図であり、図６は、プロジェクターが入力切替操作を受け付けた時の動作を示すフローチャートである。
【００５５】
（入力切替操作を受け付けた時）
図６に示すように、プロジェクター１００が画像を投写中に、入力切替キー２３ｂ（２５ｂ）の操作を検出した場合（ステップＳ１０１）、制御手段２０は画像入力選択手段５に指示をして、現在投写中の画像入力端子６（図中には「端子」と称する）の次の画像入力端子６に切り替え（ステップＳ１０２）、次にステップＳ１０３に遷移する。なお、ステップＳ１０２が画像入力選択ステップに相当する。
【００５６】
ステップＳ１０３において制御手段２０は、信号検出手段７の検出結果に基づき、現在選択している画像入力端子６に画像信号が検出されたか否かを調べる。画像入力端子６に画像信号が検出された場合（ステップＳ１０３：Ｙ）、ステップＳ１１２に遷移する。画像入力端子６に画像信号が検出されない場合（ステップＳ１０３：Ｎ）、ステップＳ１０４に遷移する。
【００５７】
ステップＳ１０４において制御手段２０は、投写データ設定手段２０１の設定情報に基づき、現在選択している画像入力端子６がメモ画像２１１を投写する設定になっているか否かを調べる。メモ画像２１１を投写する設定になっている場合（ステップＳ１０４：Ｙ）、ステップＳ１１１に遷移する。メモ画像を投写する設定になっていない場合、即ち、画像データを投写する設定になっている場合（ステップＳ１０４：Ｎ）、ステップＳ１０５に遷移する。
【００５８】
ステップＳ１０５において制御手段２０は、現在選択されている画像入力端子６が無信号状態であることを示す画像を画像投写手段１０により投写し、ステップＳ１０６に遷移する。
【００５９】
ステップＳ１０６において制御手段２０は、画像入力選択手段５、および信号検出手段７により、現在選択されている画像入力端子６以外の他の画像入力端子６の画像信号検出状態を取得し、ステップＳ１０７に遷移する。
【００６０】
ステップＳ１０７において制御手段２０は、ステップＳ１０６において取得した画像信号検出状態の情報に基づき、現在選択されている画像入力端子６の他に、画像信号が検出された画像入力端子６があるか否かを調べる。画像信号が検出された画像入力端子６がある場合（ステップＳ１０７：Ｙ）、ステップＳ１０８に遷移する。画像信号が検出された画像入力端子６がない場合（ステップＳ１０７：Ｎ）、ステップＳ１１３に遷移する。
【００６１】
ステップＳ１０８において制御手段２０は、画像信号が入力されている画像入力端子６、およびメモ画像保存選択方法を示すメッセージを画像投写手段１０により投写し、ステップＳ１０９に遷移する。図４（ｂ）が、このときのメッセージ画面に相当する。
【００６２】
ステップＳ１０９において制御手段２０は、ステップＳ１０８において投写したメッセージに対し、メモ画像保存操作を受け付けたか（画像データを保存する画像入力端子６が選択されたか）否かを調べる。メモ画像保存操作を受け付けた場合（ステップＳ１０９：Ｙ）、ステップＳ１１０に遷移する。メモ画像保存操作を受け付けなかった場合（ステップＳ１０９：Ｎ）、ステップＳ１１３に遷移する。
【００６３】
ステップＳ１１０において画像メモ手段２０２は、ステップＳ１０９において選択された、画像信号が入力されている画像入力端子６の画像データを記憶手段２１にメモ画像２１１として保存し、投写データ設定手段２０１は、現在選択されている画像入力端子６に対応する投写データ設定をメモ画像に設定し、ステップＳ１１１に遷移する。
【００６４】
以上のステップＳ１０８，Ｓ１０９，Ｓ１１０，Ｓ１１０が、投写データ設定ステップに相当する。
【００６５】
ステップＳ１１１において画像メモ手段２０２は、現在選択されている画像入力端子６に対応する、メモ画像２１１を画像投写手段１０に投写し、ステップＳ１１３に遷移する。図４（ｃ）がこのときのメモ画像投写画面に相当する。
【００６６】
ステップＳ１１２において制御手段２０は、現在選択されている画像入力端子６の画像データを画像投写手段１０に投写し、ステップＳ１１３に遷移する。
【００６７】
ステップＳ１１３において本動作フローを終了する。
【００６８】
（メモ画像投写中にヘルプ操作を受け付けた時）
図７に示すように、プロジェクター１００がメモ画像２１１を投写中に、ヘルプキー２３ｇ（２５ｇ）の操作（ヘルプ操作）を受け付けた場合（ステップＳ２０１）、ステップＳ２０２に遷移する。
【００６９】
ステップＳ２０２において制御手段２０は、画像入力選択手段５、および信号検出手段７により、現在選択されている画像入力端子６の他の画像入力端子６の画像信号検出状態を取得し、ステップＳ２０３に遷移する。
【００７０】
ステップＳ２０３において制御手段２０は、ステップＳ２０２において取得した他の画像入力端子６の画像信号検出状態の情報に基づき、画像信号が入力されている画像入力端子６の画像データを投写するか、または他の画像入力端子６の画像データをメモ画像として保存するかを選択し、設定変更を行うメッセージ（メッセージ画面）を画像投写手段１０により投写し、ステップＳ２０４に遷移する。
図５（ｂ）が、このときのメッセージ画面に相当する。なお、画像信号が入力されている他の画像入力端子６がなかった場合は現在選択されている画像入力端子６の画像データの投写（入力画像投写）に切り替えるか否かを選択する。
【００７１】
ステップＳ２０４において制御手段２０は、ステップＳ２０３において投写したメッセージに対し、入力画像投写に変更する操作を受け付けたか否かを調べる。入力画像投写に変更する操作を受け付けた場合（ステップＳ２０４：Ｙ）、ステップＳ２０８に遷移する。入力画像投写に変更する操作を受け付けていない場合（ステップＳ２０４：Ｎ）、ステップＳ２０５に遷移する。
【００７２】
ステップＳ２０５において制御手段２０は、ステップＳ２０３において投写したメッセージに対し、メモ画像保存操作を受け付けたか（画像データを保存する画像入力端子６が選択されたか）否かを調べる。メモ画像保存操作を受け付けた場合（ステップＳ２０５：Ｙ）、ステップＳ２０６に遷移する。メモ画像保存操作を受け付けなかった場合（ステップＳ２０５：Ｎ）、ステップＳ２１０に遷移する。
【００７３】
ステップＳ２０６において画像メモ手段２０２は、ステップＳ２０５において選択された画像入力端子６の画像データを記憶手段２１にメモ画像２１１として保存し、投写データ設定手段２０１は、現在選択されている画像入力端子６に対応する投写データ設定をメモ画像に設定し、ステップＳ２０７に遷移する。
このとき、直前に投写データ設定手段２０１に設定されている画像入力端子６と同じ画像入力端子６を選択した場合、選択された画像入力端子６の画像データが新たにメモ画像２１１に保存される。
【００７４】
ステップＳ２０７において画像メモ手段２０２は、選択された画像入力端子６に対応するメモ画像２１１を画像投写手段１０に投写し、ステップＳ２１０に遷移する。
【００７５】
ステップＳ２０８において制御手段２０は、投写データ設定手段２０１の、現在選択されている画像入力端子６に対応する画像データを入力画像投写に設定し、ステップＳ２０９に遷移する。
【００７６】
ステップＳ２０９において制御手段２０は、現在選択されている画像入力端子６の入力画像データを画像投写手段１０に投写し、ステップＳ２１０に遷移する。
【００７７】
ステップＳ２１０において本動作フローを終了する。
【００７８】
（メモ画像投写中に画像入力端子に画像信号が入力されたことを検出した時）
図７に示すように、プロジェクター１００がメモ画像２１１に保存された画像データを投写中に、信号検出手段７により、現在選択されている画像入力端子６に画像信号が入力されたことを検出した場合（ステップＳ２１１）、ステップＳ２０８に遷移する。
【００７９】
以下、上述したステップＳ２０８からステップＳ２１０の動作を実行する。
【００８０】
以上説明したように、本実施形態のプロジェクター１００によれば、複数の画像入力端子６ごとに、メモ画像２１１を投写するか、画像データを投写するかの設定を行い、メモ画像２１１を投写する設定がされている場合、選択された画像入力端子６に対応するメモ画像２１１を投写する。つまり、入力切替操作により、各画像入力端子６に設定されたメモ画像２１１の投写切替を行うことができるので、本体操作パネルに専用の操作キーを追加することなく、画像メモ機能を実現することが可能となる。
【００８１】
また、画像入力端子６を切り替えたときに、複数の画像入力端子６のいずれかに入力される画像データをメモ画像２１１として保存することができるので、同一の画像入力端子６に入力される異なる画像データ、または異なる複数の画像入力端子６に入力される複数の画像データを、メモ画像２１１として保存し、投写することが可能となる。
【００８２】
また、画像入力端子６を切り替えたときに、選択した画像入力端子６に画像信号が入力されていない場合に、他の画像入力端子６のいずれかに入力される画像データをメモ画像２１１として保存し、投写することができるので、画像信号が入力されていない、未使用の画像入力端子６をメモ画像保存、および投写用として使用することが可能となる。
【００８３】
また、画像信号が検出されていない画像入力端子６をメモ画像投写用として使っていた場合、画像信号を入力することで、画像データを投写するよう投写データ設定手段２０１に設定するので、特別な設定変更操作をせずに、画像信号を入力するだけでメモ画像投写設定から、画像データ投写設定に、設定を変更することが可能となる。
【００８４】
また、上記実施形態は、以下のように変更してもよい。
（変形例１）
上記実施形態において、メモ画像２１１として画像データを保存する画像入力端子６を選択する際に、選択中の画像入力端子６の入力される画像データを画像投写手段１０に投写するようにしてもよい。
これにより、メモ画像２１１として保存する画像データが選択しやすくなる。
【符号の説明】
【００８５】
１…プロジェクター、３…画像信号処理手段、４…ＯＳＤ処理手段、５…画像入力選択手段、６…画像入力端子、７…信号検出手段、１０…画像投写手段、１１…光源、１２Ｒ，１２Ｇ，１２Ｂ…液晶ライトバルブ、１３…投写レンズ、１４…液晶駆動手段、２０…制御手段、２１…記憶手段、２２…光源制御手段、２３…入力操作手段、２４…操作信号受信手段、２０１…投写データ設定手段、２０２…画像メモ手段、２１１…メモ画像。
【図１】
2013080105.tif 000003
【図２】
2013080105.tif 000004
【図３】
2013080105.tif 000005
【図４】
2013080105.tif 000006
【図５】
2013080105.tif 000007
【図６】
2013080105.tif 000008
【図７】
2013080105.tif 000009
【図８】
2013080105.tif 000010
【図９】
2013080105.tif 000011